(57)【要約】【課題】脚杆を、ねじりコイルばねにより、バランスよく、円滑に付勢することができるとともに、ねじりコイルばねを体裁よくコンパクトに収容することができるようにした、構造が簡単で、安価に製造できる椅子を提供する。【解決手段】脚杆１１の下端に左右方向を向く筒体３２を固着し、筒体３２の両端を閉塞するエンドキャップ３３のほぼ中央に設けた軸孔３４に枢軸１２を挿通させ、筒体３２内の両側部に、左右１対のねじりコイルばね１３における巻回部１３ａを配設し、巻回部１３ａの内側の端部より延出する延出端部１３ｂを、脚杆１１内に開口するように筒体３２の内面に設けた通孔に係合し、かつ外側の延出端部１３ｃを、エンドキャップ３３の外周部に設けた円周方向に長い切欠き３６を貫通させて、ベース５に係止させる。【選択図】        図８
2004202055.tif 000002
【特許請求の範囲】
【請求項１】
ベースに、座を支持する脚杆の下端部を、左右方向を向く枢軸をもって枢着することにより、前記座及び脚杆を、前方の不使用位置と後方の使用位置とに回動可能とし、かつ付勢手段により、前記座及び脚杆を常時不使用位置に向かって付勢するようにした椅子において、前記脚杆の下端に左右方向を向く筒体を固着するとともに、前記筒体の両端を閉塞するエンドキャップのほぼ中央に設けた軸孔に前記枢軸を挿通し、前記筒体内の両側部に、前記枢軸の回りに巻回するコイル状の巻回部の両端から、巻線の延出端部を巻回部の外側に向かって延出させた、付勢手段をなす左右１対のねじりコイルばねにおける前記巻回部を配設し、前記巻回部の内側の端部より延出する延出端部を、前記脚杆内に開口するように筒体の内面に設けた通孔に係合し、かつ前記巻回部の外側の端部より延出する延出端部を、エンドキャップまたは筒体の外周部に設けた円周方向に長い切欠きへ貫通させて、前記ベースに係止させたことを特徴とする椅子。
【請求項２】
枢軸と両ねじりコイルばねの巻回部との間にスリーブを設けた請求項１記載の椅子。
【請求項３】
ベースに、筒体及びエンドキャップが嵌合しうる凹部を設けるとともに、前記凹部の両側部内面に、両ねじりコイルばねにおける外側の延出端部が係合しうる係合部を設けた請求項１または２記載の椅子。
【請求項４】
エンドキャップの内端面に、筒体の端部に嵌合される外筒部と、それと同芯をなし、内部に枢軸が嵌挿された内筒部とを設け、内外両筒部間に、ねじりコイルばねにおける巻回部の外端部を嵌合するとともに、前記外筒部の一部に設けた切欠きへ、ねじりコイルばねにおける外側の延出端部を挿通した請求項１〜３のいずれかに記載の椅子。
【発明の詳細な説明】
【０００１】
【発明の属する技術分野】
本発明は、不使用時に、座とそれを支持する脚杆とが、机に向かって前方に移動するようにした椅子に関し、より詳しくは、脚杆を前方に向かって付勢するばねの支持構造に関する。
【０００２】
【従来の技術】
この種の従来の椅子としては、カウンターの下部や、机の前下方の床面上等に、左右方向を向く軸をもって枢着した１本の脚杆の上端部に座を固着し、上記脚杆を、後傾して座をほぼ水平に支持する使用位置から、ほぼ垂直をなすか、または前傾して、座がカウンターまたは机の下に収容される不使用位置まで回動可能とし、かつ脚杆を、不使用位置に向かって、常時ばね付勢したものがある（例えば、特許文献１〜３参照）。
【０００３】
【特許文献１】
実開平５−２１７４５号公報（第１〜２頁、図２）。
【特許文献２】
特許第２８１５３４１号公報（第１〜４頁、第１図）。
【特許文献３】
実公昭５８−３６８５７号公報（第１〜２頁、第２図）。
【０００４】
【発明が解決しようとする課題】
しかし、上述の従来のものでは、脚杆の下端に、アーム等を一体的に設け、そのアームの先端と脚杆を枢支するベースとの間に、圧縮コイルばねを縮設しているので（例えば、特許文献１及び２参照）、ベースにアームと圧縮コイルばねとを収容するために大きな収容スペースが必要となり、ベースが大型となり、着座者の足の妨げとなる。
【０００５】
また、脚杆を枢支する取付軸の片側のみにねじりコイルばねを設けたものがあるが（例えば、特許文献３参照）、これによると、ねじりコイルばねの付勢力が脚杆にバランスよく作用せず、取付軸に捩じれが生じたり、脚杆の回動が不円滑となったりして好ましくなく、また、ねじりコイルばねが外部に露呈して見苦しい等の問題がある。
【０００６】
本発明は、従来の技術が有する上記のような問題点に鑑み、脚杆を、ねじりコイルばねにより、バランスよく、円滑に付勢することができるとともに、ねじりコイルばねを体裁よくコンパクトに収容することができるようにした、構造が簡単で、安価に製造できる椅子を提供することを目的としている。
【０００７】
【課題を解決するための手段】
本発明によると、上記課題は、次のようにして解決される。
（１）ベースに、座を支持する脚杆の下端部を、左右方向を向く枢軸をもって枢着することにより、前記座及び脚杆を、前方の不使用位置と後方の使用位置とに回動可能とし、かつ付勢手段により、前記座及び脚杆を常時不使用位置に向かって付勢するようにした椅子において、前記脚杆の下端に左右方向を向く筒体を固着するとともに、前記筒体の両端を閉塞するエンドキャップのほぼ中央に設けた軸孔に前記枢軸を挿通し、前記筒体内の両側部に、前記枢軸の回りに巻回するコイル状の巻回部の両端から、巻線の延出端部を巻回部の外側に向かって延出させた、付勢手段をなす左右１対のねじりコイルばねにおける前記巻回部を配設し、前記巻回部の内側の端部より延出する延出端部を、前記脚杆内に開口するように筒体の内面に設けた通孔に係合し、かつ前記巻回部の外側の端部より延出する延出端部を、エンドキャップまたは筒体の外周部に設けた円周方向に長い切欠きへ貫通させて、前記ベースに係止させる。
【０００８】
（２）上記(１)項において、枢軸と両ねじりコイルばねの巻回部との間にスリーブを設ける。
【０００９】
（３）上記(１)または(２)項において、ベースに、筒体及びエンドキャップが嵌合しうる凹部を設けるとともに、前記凹部の両側部内面に、両ねじりコイルばねにおける外側の延出端部が係合しうる係合部を設ける。
【００１０】
（４）上記(１)〜(３)項のいずれかにおいて、エンドキャップの内端面に、筒体の端部に嵌合される外筒部と、それと同芯をなし、内部に枢軸が嵌挿された内筒部とを設け、内外両筒部間に、ねじりコイルばねにおける巻回部の外端部を嵌合するとともに、前記外筒部の一部に設けた切欠きへ、ねじりコイルばねにおける外側の延出端部を挿通する。
【００１１】
【発明の実施の形態】
以下、本発明の一実施形態を、添付図面を参照して説明する。
図１及び図３は、本発明の椅子の一実施形態の使用位置としたときの状態を、図２及び図４は、同じく不使用位置としたときの状態を、また、図５〜図８は、各部の詳細を示す。
【００１２】
この椅子(１)は、机(２)（図４の想像線参照）の後方（図１〜図４の左方を前方とする）の床面(３)上に、アンカーボルト(４)をもって固着したベース(５)のほぼ中央に立設された垂直の脚支柱(６)を備えている。
【００１３】
脚支柱(６)は、前後方向に長い長円形断面の管材よりなり、その上端には、左右方向を向く水平杆(７)の中央部が、取付板(7a)を介して固着されている。
【００１４】
水平杆(７)の両端面には、受けローラ(８)が、左右方向を向く水平の軸(９)をもって枢着されている。
ベース(５)の後部中央には、背凭れ(10)を支持する背凭れ支杆(11)の下端部が、左右方向を向く枢軸(12)をもって枢着されている。
【００１５】
背凭れ支杆(11)は、枢軸(12)まわりに配設され、かつ一方の端末が背凭れ支杆(11)に、また他方の端末がベース(５)にそれぞれ係止された左右１対のねじりコイルばね（付勢手段）(13)(13)により、前方に向かって起立する方向、すなわち不使用位置に向かって常時付勢されている。
このねじりコイルばね(13)(13)を含む背凭れ支杆(11)の下端部のベース(５)への枢着部分の構造の詳細については後述する。
【００１６】
背凭れ支杆(11)のほぼ下半部は、１本の角管(14)により形成され、同じく上半部は、中央部が角管(14)の上端に溶接等により固着された左右方向を向く水平杆(15)と、その両側端より起立する左右１対の側杆(16)とからなる正面視上向きコ字状をなす背凭れフレーム(17)により形成され、背凭れ(10)の両側部は、この左右の両側杆(16)により支持されている。
【００１７】
座体(18)の下面前後部には、左右方向を向く座支持板(19)(20)の両端部が固着されており、それらの座支持板(19)(20)の両側部には、前後方向を向くとともに、断面形が内向きコ字状をなす左右１対のレール(21)(21)が溶接等により固着されている。
【００１８】
両レール(21)(21)には、左右の受けローラ(８)(８)が内方より嵌合され、それによって、座体(18)は、前後方向に移動しうるとともに、受けローラ(８)(８)の軸(９)(９)を中心として回動しうるようになっている。
【００１９】
後部の座支持板(20)の両側部下面には、軸受金具(22)(22)が、その中央のＵ字状の軸受部(22a)(22a)を、背凭れ支杆(11)における水平杆(15)の両側部に下方より嵌合し、かつ軸受部(22a)の上端が座支持板(20)の下面により閉塞されるようにして固着され、これにより、座体(18)の後端部は、背凭れ支杆(11)の中間部に、左右方向を向く軸まわりに回動可能として連結されている。
【００２０】
図１及び図３に示すように、座体(18)がほぼ水平をなし、背凭れ支杆(11)が後傾し、かつ水平杆(７)の取付板(7a)の中央前部が、前部の座支持板(19)の中央部下面に固着した側面視倒立Ｌ字状のストッパ(23)に当接した使用位置から、背凭れ支杆(11)を前方に起立するように所要角度回動させると、図２及び図４に示すように、座体(18)と背凭れ支杆(11)との連結部である水平杆(15)は、受けローラ(８)より上位となり、座体(18)が前下がり傾斜し、かつ水平杆(７)の中央部後面は、後部の座支持板(19)の中央部下面に設けたストッパ(24)に当接した不使用位置となる。
【００２１】
後方のストッパ(24)は、座支持板(19)の中央部下面に固着したブロック(25)のねじ孔(26)に螺合する前後方向を向く調節ねじ(27)の前端に設けられ、この調節ねじ(27)を回転させることより、その前後位置を調節しうるようになっている。
【００２２】
座体(18)の下面には、レール(21)(21)等を覆うように、カバー(28)が着脱自在に設けられている。このカバー(28)のほぼ中央には、脚支柱(６)が挿通しうる前後方向に長い長孔(29)と、背凭れ支杆(11)が挿通する方形の通孔(30)とが設けられている。また、カバー(28)における両側後部の立ち上り縁には、水平杆(15)が挿通するほぼＵ字状の切込み(31)が設けられている。
【００２３】
背凭れ支杆(11)は、ねじりコイルばね(13)により、前方に向けて付勢されているので、椅子(１)は、常時は、図４に示すように、机(２)に近接した不使用位置に位置しており、椅子(１)の後方には、人が通れる程度の通路が形成される。
【００２４】
椅子(１)を使用するには、背凭れ(10)とともに背凭れ支杆(11)を、ねじりコイルばね(13)の付勢力に抗して、使用位置まで後方に倒し、座体(18)を水平として、その上に着座する。
【００２５】
使用後、着座者が椅子(１)から離れると、ねじりコイルばね(13)の付勢力により、背凭れ支杆(11)が前方に回動させられ、それに伴って、座体(18)が前方に移動しつつ、下向き傾斜して、不使用位置に達し、水平杆(７)の中央部にストッパ(25)が当接することにより椅子(１)は不使用位置で停止させられる。
【００２６】
以上の構成は、本出願人の出願に係る特願２００２−３０２４６２号の願書に添付した明細書及び図面に記載したものとほぼ同一であるが、本発明は、次のような背凭れ支杆(11)の下端部のベース(５)への枢着部分の構造に特徴を有している。
すなわち、図８に示すように、脚杆である背凭れ支杆(11)の下端には、左右方向を向く筒体(32)が固着され、筒体(32)の両端を閉塞するエンドキャップ(33)のほぼ中央に設けた軸孔(34)には、上記枢軸(12)が挿通され、筒体(32)内の両側部には、枢軸(12)の回りに巻回するコイル状の巻回部(13a)の両端から巻線の延出端部(13b)(13c)が巻回部(13a)の両端の接線方向の外側に向かって延出するようにした、付勢手段をなす左右１対のねじりコイルばね(13)(13)における上記巻回部(13a)(13a)が配設され、各巻回部(13a)の内側の端部より延出する延出端部(13b)(13b)は、背凭れ支杆(11)内に開口するように筒体(32)の内面に設けた通孔(35)(35)に嵌合されて筒体(32)に係止され(図５参照)、かつ巻回部(13a)の外側の端部より延出する延出端部(13c)(13c)は、エンドキャップ(33)の外周部に設けた円周方向に長い切欠き(35)を貫通して、ベース(５)に係止されている。
【００２７】
ベース(５)は、頂角部が前方を向く平面視二等辺三角形状をなすとともに、頂部がやや後端寄り位置する山形の側面形をなし、前部中央には、底面がほぼ水平をなし、かつ脚支柱(６)の下端を受支する浅い凹部(37)が、後部中央には、上記凹部(37)の後端に連続し、かつ背凭れ支杆(11)の下端における筒体(33)やエンドキャップ(33)等を収容する深い凹部(38)が、また、前端部と両側後部との３個所には、アンカーボルト(４)装着用の凹部(39)が、それぞれ設けられている。
【００２８】
ベース(５)における中央の前後の凹部(37)(38)の段差部の両側部には、左右のねじりコイルばね(13)(13)における外側の延出端部(13c)(13c)が嵌合されて、係止されるようにした上下方向に長い長孔(40)が設けられ、この長孔(40)の上端部は、延出端部(13c)が係合する係合部をなしている。
【００２９】
各エンドキャップ(33)の内端面には、筒体(32)の端部に嵌合される外筒部(33a)と、それと同芯をなし、内部に枢軸(12)が嵌挿された内筒部(33b)とが設けられ、内外両筒部(33b)(33a)間に、ねじりコイルばね(13)における巻回部(13a)の外端部を嵌合するとともに、外筒部(33a)の一部に設けた切欠き(36)を、ねじりコイルばね(13)における外側の延出端部(13c)が挿通するようにしてある。
【００３０】
左右のエンドキャップ(33)(33)間における枢軸(12)まわりには、摩擦係数の小さい潤滑性のいい合成樹脂製等のスリーブ(41)が外嵌され、このスリーブ(41)の外側に、両ねじりコイルばね(13)の巻回部(13a)を外嵌することにより、ねじりコイルばね(13)が直接枢軸(12)と接触せず、背凭れ支杆(11)が円滑に回動し得るようにしてある。
【００３１】
スリーブ(41)の両端には、エンドキャップ(33)の軸孔(34)内に嵌合する短寸の縮径段部(41a)が設けられており、また、各エンドキャップ(33)における軸孔(34)の外端部には、スリーブ(41)と同様の材料製のブッシュ(42)が嵌合され、背凭れ支杆(11)がより円滑に回動し得るようにしてある。
【００３２】
枢軸(12)を、ベース(５)における後部中央の凹部(38)の両側壁に設けた左右方向を向く軸孔(43)に嵌挿した後、軸孔(43)から抜け出さないようにするため、枢軸(12)の両端には、有頭ねじ(44)がそれぞれ螺着されている。
【００３３】
なお、本発明は、上記実施形態のみに限定されるものではなく、幾多の変形した態様で実施することができる。
【００３４】
また、本発明は、上述の特許文献１〜３に記載されているように、脚支柱(６)を有していない単一の脚杆のみが前後に傾倒し得るようにした椅子にも適用するができる。
【００３５】
【発明の効果】
請求項１記載の発明によると、左右１対のねじりコイルばねの大部分が筒体内にコンパクトに収容され、ほとんど外部に露呈することがないので、体裁がよく、しかも、脚杆を、左右のねじりコイルばねにより、バランスよく、円滑に付勢することができるとともに、構造が簡単で、安価に製造することができる。
【００３６】
請求項２記載の発明によると、コイルばねの巻回部が直接枢軸に摺接することがないので、それらの摩耗を防止し、耐久性を向上しうるとともに、脚杆の回動時における摺擦音等の異音発生を防止することができる。
【００３７】
請求項３記載の発明によると、筒体及びエンドキャップが、ベースの凹部に嵌合され、しかも筒体内に収容されたねじりコイルばねにおける筒体外に延出する外側の延出端部も、前記凹部の両側部内面に設けた係合部に係合するようにしたので、ねじりコイルばねがほとんど外部に露呈することがなく、体裁がよい。
【００３８】
請求項４記載の発明によると、エンドキャップに設けた内外両筒部によって、ねじりコイルばねの巻回部が安定して保持され、脚杆の回動時に、ねじりコイルばねが軸線方向に移動するのを阻止することができるとともに、外筒部によって、エンドキャップを筒体の端部に強固に嵌合することができ、枢軸に対する筒体の位置決めを正確に果たすことができる。
【図面の簡単な説明】
【図１】本発明の一実施形態を使用位置としたときの斜め前方より見た外観斜視図である。
【図２】同じく、不使用位置としたときの同様の外観斜視図である。
【図３】同じく、使用位置としたときの中央縦断側面図である。
【図４】同じく、不使用位置としたときの中央縦断側面図である。
【図５】図３のＶ−Ｖ線に沿う拡大縦断正面図である。
【図６】図３のＶI−ＶI線に沿う拡大縦断面図である。
【図７】図３のVII−VII線に沿う拡大縦断正面図である。
【図８】背凭れ支杆の下端部のベースへの枢着部分の分解斜視図である。
【符号の説明】
(１)椅子
(２)机
(３)床面
(４)アンカーボルト
(５)ベース
(６)脚支柱
(７)水平杆
(7a)取付板
(８)受けローラ
(９)軸
(10)背凭れ
(11)背凭れ支杆(脚杆)
(12)枢軸
(13)ねじりコイルばね（付勢手段）
(13a)
(13b)(13c)回巻部
(14)角管
(15)水平杆
(16)側杆
(17)背凭れフレーム
(18)座体
(19)(20)座支持板
(21)レール
(22)軸受金具
(22a)軸受部
(23)ストッパ
(24)ストッパ
(25)ブロック
(26)ねじ孔
(27)調節ねじ
(28)カバー
(29)長孔
(30)通孔
(31)切込み
(32)筒体
(33)エンドキャップ
(34)軸孔
(35)通孔
(36)切欠き
(37)(38)(39)凹部
(40)長孔(係合部)
(41)スリーブ
(41a)縮径段部
(42)ブッシュ
(43)軸孔
(44)有頭ねじ
【図１】
2004202055.tif 000003
【図２】
2004202055.tif 000004
【図３】
2004202055.tif 000005
【図４】
2004202055.tif 000006
【図５】
2004202055.tif 000007
【図６】
2004202055.tif 000008
【図７】
2004202055.tif 000009
【図８】
2004202055.tif 000010